(57)【特許請求の範囲】
【請求項１】
カラオケ楽曲データベースと、クレジット画像データベースと、演奏手段と、画像処理手段と、制御手段とを備えたカラオケ装置であって、
カラオケ楽曲データベースは、カラオケ楽曲データを楽曲ＩＤに対応付けて複数記憶し、
カラオケ楽曲データは、演奏データと、楽曲タイトル・著作者・著作隣接権者に関する字幕データと、著作権管理者ＩＤとを含み、
クレジット画像データベースは、クレジット画像データを著作権管理者ＩＤに対応付けて複数記憶し、
演奏手段は、制御手段の制御により演奏データを再生し、
画像処理手段は、制御手段の制御により表示手段に表示を行い、
制御手段は、楽曲ＩＤが指定された際、当該楽曲ＩＤの演奏データを演奏手段に演奏させるとともに、当該楽曲ＩＤに基づいて第１、第２処理を行い、
第１処理は、当該楽曲ＩＤに対応する字幕データと著作権管理者ＩＤを抽出するとともに、その著作権管理者ＩＤに対応するクレジット画像データを抽出し、
第２処理は、演奏開始直前または演奏終了直後の期間に、第１処理で抽出した字幕データとクレジット画像データを画像処理手段に表示させる
カラオケ装置。
【請求項２】
カラオケ楽曲データベースと、クレジット画像データベースと、演奏手段と、画像処理手段と、制御手段とを備えたカラオケ装置であって、
カラオケ楽曲データベースは、カラオケ楽曲データを楽曲ＩＤに対応付けて複数記憶し、
カラオケ楽曲データは、演奏データと、楽曲タイトル・著作者・著作隣接権者に関する字幕データと、著作権管理者ＩＤと、表示タイミング規定データとを含み、
クレジット画像データベースは、クレジット画像データを著作権管理者ＩＤに対応付けて複数記憶し、
演奏手段は、制御手段の制御により演奏データを再生し、
画像処理手段は、制御手段の制御により表示手段に表示を行い、
制御手段は、楽曲ＩＤが指定された際、当該楽曲ＩＤの演奏データを演奏手段に演奏させるとともに、当該楽曲ＩＤに基づいて第１、第２処理を行い、
第１処理は、当該楽曲ＩＤに対応する字幕データと著作権管理者ＩＤと表示タイミング規定データとを抽出するとともに、その著作権管理者ＩＤに対応するクレジット画像データを抽出し、
第２処理は、第１処理で抽出した表示タイミング規定データに基づく期間に、第１処理で抽出した字幕データとクレジット画像データを画像処理手段に表示させる
カラオケ装置。
【請求項３】
カラオケ楽曲データベースと、クレジット画像データベースと、演奏手段と、画像処理手段と、制御手段とを備えたカラオケ装置であって、
カラオケ楽曲データベースは、カラオケ楽曲データを楽曲ＩＤに対応付けて複数記憶し、
カラオケ楽曲データは、演奏データと、楽曲タイトル・著作者・著作隣接権者に関する字幕データと、著作権管理者ＩＤとを含み、
クレジット画像データベースは、クレジット画像データと表示タイミング規定データを著作権管理者ＩＤに対応付けて複数記憶し、
演奏手段は、制御手段の制御により演奏データを再生し、
画像処理手段は、制御手段の制御により表示手段に表示を行い、
制御手段は、楽曲ＩＤが指定された際、当該楽曲ＩＤの演奏データを演奏手段に演奏させるとともに、当該楽曲ＩＤに基づいて第１、第２処理を行い、
第１処理は、当該楽曲ＩＤに対応する字幕データと著作権管理者ＩＤを抽出するとともに、その著作権管理者ＩＤに対応するクレジット画像データと表示タイミング規定データを抽出し、
第２処理は、第１処理で抽出した表示タイミング規定データに基づく期間に、第１処理で抽出した字幕データとクレジット画像データを画像処理手段に表示させる
カラオケ装置。
【請求項４】
字幕データは、著作権の信託期限にも関する
請求項１〜３のいずれかに記載のカラオケ装置。
【発明の詳細な説明】
【０００１】
【発明が属する技術分野】
この発明は、カラオケ楽曲を演奏処理する際にその楽曲の音楽著作権管理者のクレジットを表示するカラオケ装置およびカラオケソフト記憶媒体に関し、とくに、音楽著作権管理者ごとに用意された内容の異なるクレジット画像を表示するものに関する。
【０００２】
【従来の技術】
カラオケに利用されている多くの楽曲はもともと作詞者と作曲者によって生み出され、その演奏がレコード作品として売り出されたり放送されたりして世の中に知られるようになった音楽著作物である。このような音楽著作物としての伴奏音楽がカラオケ装置で演奏されて一般の人々の楽しみに供されることについては、著作権法上のさまざまな権利や契約関係が複雑に関与している。音楽著作権には録音権・演奏権・複製権・上映権・公衆送信権・有線送信権・展示権・貸与権・頒布権などさまざまなものがある。法律上では、これらの権利をばらばらに、いろいろなところに譲れるが、一般的にはすべての権利を１社（音楽出版社やレコード会社など）に譲ることが多い。
【０００３】
ここで注意すべきことは、著作者と著作権者の持つ権利が異なることである。著作者は著作権の中の人格権というものを持ち、著作権者は著作権の中の財産権を持つ。楽曲を創作した時点では作詞・作曲をした人は著作者であると同時に著作権者でもあったが、音楽出版社に権利を譲った時点で、著作権は音楽出版社が持つことになる。著作者から著作権を譲り受けた音楽出版社やレコード会社が、その楽曲を世に広めるためにいろいろな活動をすることになる。
【０００４】
また、楽曲を演奏し歌唱する実演家（アーチスト）は、自分の歌や演奏を世に送り出すための録音権・録画権を持つほか、放送権・有線放送権・貸与権・送信可能化権などを持つことになる。これら実演家の持っている権利を総称して著作隣接権と呼び、著作権法により保護されている。
【０００５】
さて周知のように、カラオケ装置においてリクエストした楽曲が演奏される際には、その楽曲のタイトルやアーチストや著作者（作詞者・作曲者）などを説明する字幕が表示される。これらの説明は１つひとつの楽曲に固有の情報であるので、この字幕表示の元となるデータ（楽曲説明字幕データとする）はもちろん楽曲ごとに用意されている。楽曲説明字幕データをカラオケ装置に保有させて利用するためのデータ構造や制御論理構造にはいろいろな方式を採り得る。いずれにしても演奏すべき楽曲が特定されると、その楽曲用の楽曲説明字幕データがアクセスされて、多くの場合、カラオケ伴奏音楽が始まる直前に楽曲タイトルやアーチストや著作者などが字幕で表示される。この字幕表示によって、カラオケ演奏される音楽作品の著作者や著作隣接権者に対して敬意を表明しているといえる。
【０００６】
【発明が解決しようとする課題】
カラオケ装置で演奏する楽曲についても、当然、著作権者の許諾が必要であるし、著作権使用料を支払わなければならない。現実にカラオケ利用されている多くの楽曲の著作権は日本音楽著作権協会に委ねられており、カラオケ事業者（カラオケソフト供給業者）は日本音楽著作権協会と契約して楽曲の利用許諾を受け、著作権使用料を日本音楽著作権協会に支払っている。ただし、これがすべてではなく、日本音楽著作権協会に委ねることなく音楽出版社やレコード会社あるいは個人が著作権を管理している楽曲もあり、それらは個別の交渉によりカラオケ利用の契約を結んでいる。
【０００７】
ところで、日本音楽著作権協会は「著作権に関する仲介業務に関する法律」に基づいて、音楽著作物の使用者に使用の許諾を与え、その使用者から著作権使用料を徴収し、それを著作権者に分配する機関である。現状では、同協会がこの仲介業務を行う日本で唯一の機関であるが、前記の仲介業務法の改正に伴い、音楽著作権の管理・仲介ビジネスに民間の事業会社が参入すると予想されており、この分野のビジネスに競争原理がはたらくことになる。
【０００８】
このような背景もあって、カラオケ利用されている楽曲の著作権管理形態が大いに多様化することが予想され、カラオケ事業者はいままで以上に多くの著作権管理者と著作権使用に関する交渉と契約の業務を行う必要がでてきた。またカラオケ事業者にとって、各楽曲ごとの著作権管理者が誰であるのかを業務上しっかりと管理することがより重要になる。
【０００９】
さて前述したように、カラオケ装置においてリクエストした楽曲が演奏される際には、その楽曲のタイトルやアーチストや作詞者・作曲者などを説明する字幕が表示され、これによって音楽作品の著作者や著作隣接権者に対して敬意を表明するようにしている。前述した音楽著作権の管理・仲介ビジネスの多様化を考慮すると、楽曲説明の字幕表示に、当該楽曲の著作権を管理する事業会社などの名称を加えることが望ましいと本発明者らは考えた。これは技術的に問題はなく、楽曲説明字幕データに音楽著作権管理者の名称を表す文字列を加えればよいのであって、字幕表示のための制御プロセスにはまったく変更を要しない。
【００１０】
本発明者らはこの着想をさらに発展させ、カラオケ装置である楽曲を演奏する際に、その楽曲の音楽著作権管理者を明示する機能に加えて、音楽著作権管理会社のブランドイメージを高めたり、管理会社のアイデンティティを誇れるような画像表示を行う機能を実現しようと考えた。そのためには、楽曲のタイトルやアーチストや作詞者・作曲者とともに管理会社の名称を字幕表示するだけではまったく不十分であり、カラオケ利用者の興味をひく訴求力があり、美しくて飽きがこない内容の短い動画とかアニメーションをクレジット画像として表示するのが良い。たとえば、映画の冒頭で各映画制作会社のトレードマークとなっているごく短い動画（松竹の富士山、東映の波、ＭＧＭのライオン、コロンビアの自由の女神）が表示されるように、カラオケ装置で音楽著作権管理者のクレジット画像を表示するように構成すれば、カラオケ装置の商品性を高める面でも好ましいし、著作権の保護の観点でも好ましいことである。
【００１１】
【課題を解決するための手段】
＝＝＝第１の発明＝＝＝
基本となる第１の発明にかかるカラオケ装置は、カラオケ楽曲の音楽著作権を管理している各音楽著作権管理者ごとに用意された内容の異なるクレジット画像データを音楽著作権管理者ＩＤをキーとして適宜な記憶資源に格納したクレジット画像データベースを備え、あるカラオケ楽曲の演奏処理を行うに際し、その楽曲ＩＤに対応づけされて設定記憶されている音楽著作権管理者ＩＤを取得し、その音楽著作権管理者ＩＤに対応づけされているクレジット画像データを前記データベースから読み出して適宜な表示装置により表示することを特徴とするものである。
【００１２】
＝＝＝第２の発明＝＝＝
第２の発明は、第１の発明にかかるカラオケ装置において、カラオケ楽曲の音楽著作権が管理者に信託されている期限を示す契約期限データが楽曲ＩＤに対応づけされて設定記憶されており、あるカラオケ楽曲の演奏処理を行うに際し、その楽曲ＩＤに対応づけされている前記契約期限データを読み取り、前記表示装置により前記クレジット画像データとともに表示することを特徴とするものである。
【００１３】
＝＝＝第３の発明＝＝＝
第３の発明は、第１の発明にかかるカラオケ装置において、カラオケ楽曲の演奏期間との関係おいて前記クレジット画像データの表示をいつ行うのかを規定するクレジット表示タイミング規定データが前記音楽著作権管理者ＩＤまたは前記楽曲ＩＤに対応づけされて設定記憶されており、あるカラオケ楽曲の演奏処理を行うに際し、その楽曲ＩＤに直接または間接に対応づけされている前記クレジット表示タイミング規定データを読み取り、その規定データに従ってカラオケ楽曲の演奏処理と前記クレジット画像データの表示処理の時系列を制御することを特徴とするものである。
【００１４】
＝＝＝第４の発明＝＝＝
第４の発明にかかるカラオケ装置は、多数のカラオケ楽曲データを適宜な記憶資源に楽曲ＩＤをキーとして格納したカラオケ楽曲データベースと、適宜に区分された多数の背景画像データを適宜な記憶資源に区分ＩＤをキーとして格納した背景画像データベースと、カラオケ楽曲の音楽著作権を管理している各音楽著作権管理者ごとに用意された内容の異なるクレジット画像データを適宜な記憶資源に音楽著作権管理者ＩＤをキーとして格納したクレジット画像データベースとを備え、
１つの楽曲ＩＤに対応する１曲分のカラオケ楽曲データは、伴奏音楽の起源となる音楽演奏データと、伴奏音楽に同期した歌詞字幕を表示するための歌詞字幕データと、伴奏音楽の生成期間に前記歌詞字幕の背景として表示すべき前記背景画像データを直接または間接に指定する背景選択データと、当該楽曲のタイトルやアーチストや著作者を字幕表示するための楽曲説明字幕データと、当該楽曲の音楽著作権管理者を示す音楽著作権管理者ＩＤとが対応づけされたデータ群であり、
カラオケ楽曲データの処理手段は、前記音楽演奏データに基づいて伴奏音楽を音響出力する手段と、前記歌詞字幕データに基づいて前記伴奏音楽に同期した歌詞字幕を表示装置に表示する手段と、前記背景選択データに基づいて前記背景画像データベースから選出される背景画像データを前記伴奏音楽の出力期間において前記歌詞字幕の背景として前記表示装置に表示する手段と、前記楽曲説明字幕データに基づいてタイトルやアーチストや著作者の字幕を前記表示装置に表示する手段と、前記音楽著作権管理者ＩＤに基づいて前記クレジット画像データベースから選出されるクレジット画像データを前記表示装置に表示する手段とを包含していることを特徴とするものである。
【００１５】
＝＝＝第５の発明＝＝＝
第５の発明は、第４の発明にかかるカラオケ装置において、前記背景画像データの表示期間の直前または直後において前記クレジット画像データが表示されることを特徴とするものである。
【００１６】
＝＝＝第６の発明＝＝＝
第６の発明は、第４の発明にかかるカラオケ装置において、前記背景画像データの表示期間中においてこれに組み合わせて前記クレジット画像データが表示されることを特徴とするものである。
【００１７】
＝＝＝第７の発明＝＝＝
第７の発明は、第４の発明にかかるカラオケ装置において、前記背景画像データの表示期間との関係において前記クレジット画像データの表示をいつ行うのかを規定するクレジット表示タイミング規定データが前記カラオケ楽曲データに含まれており、前記処理手段は、あるカラオケ楽曲データＡを処理する際にそのデータＡに含まれている前記クレジット表示タイミング規定データに基づいたタイミングで、データＡに含まれる前記音楽著作権管理者ＩＤに対応づけされた前記クレジット画像データを前記表示装置に表示することを特徴とするものである。
【００１８】
＝＝＝第８の発明＝＝＝
第８の発明にかかるカラオケ装置は、多数のカラオケ楽曲データを適宜な記憶資源に楽曲ＩＤをキーとして格納したカラオケ楽曲データベースと、適宜に区分された多数の背景画像データを適宜な記憶資源に区分ＩＤをキーとして格納した背景画像データベースと、カラオケ楽曲の音楽著作権を管理している各音楽著作権管理者ごとに用意された内容の異なるクレジット画像データを適宜な記憶資源に音楽著作権管理者ＩＤをキーとして格納したクレジット画像データベースとを備え、
１つの楽曲ＩＤに対応する１曲分のカラオケ楽曲データは、伴奏音楽の起源となる音楽演奏データと、伴奏音楽に同期した歌詞字幕を表示するための歌詞字幕データと、伴奏音楽の出力期間に前記歌詞字幕の背景として表示すべき前記背景画像データを直接または間接に指定する背景選択データと、当該楽曲のタイトルやアーチストや著作者を字幕表示するための楽曲説明字幕データと、当該楽曲の音楽著作権管理者を示す音楽著作権管理者ＩＤとが対応づけされたデータ群であり、
カラオケ楽曲データの処理手段は、前記音楽演奏データに基づいて伴奏音楽を音響出力する手段と、前記歌詞字幕データに基づいて前記伴奏音楽に同期した歌詞字幕を表示装置に表示する手段と、前記背景選択データに基づいて前記背景画像データベースから選出される背景画像データを前記伴奏音楽の出力期間において前記歌詞字幕の背景として前記表示装置に表示する手段と、前記音楽著作権管理者ＩＤに基づいて前記クレジット画像データベースから選出されるクレジット画像データを前記背景画像データの表示期間の直前または直後において前記表示装置に表示する手段と、前記クレジット画像データの表示期間において前記楽曲説明字幕データに基づいてタイトルやアーチストや著作者の字幕を前記クレジット画像データと組み合わせて前記表示装置に表示する手段とを包含していることを特徴とするものである。
【００１９】
＝＝＝第９の発明＝＝＝
第９の発明は、第４〜第８のいずれかの発明にかかるカラオケ装置において、カラオケ楽曲の音楽著作権が管理者に信託されている期限を示す契約期限データが前記カラオケ楽曲データに含まれており、前記処理手段は、あるカラオケ楽曲データＢを処理する際にデータＢに含まれる前記音楽著作権管理者ＩＤに対応づけされた前記クレジット画像データを前記表示装置に表示するとともに、データＢに含まれる前記契約期限データに基づいて契約期限に関する字幕を前記クレジット画像データと組み合わせて前記表示装置に表示することを特徴とするものである。
【００２０】
＝＝＝第１０の発明＝＝＝
第１０の発明は、第１〜第３のいずれかの発明にかかるカラオケ装置において、ある音楽著作権管理者用の前記クレジット画像データとその音楽著作権管理者に信託されているカラオケ楽曲の音楽演奏データの両方が記録されている読み出し専用記憶媒体と、この記憶媒体が実装されるデータ読み出し手段とを備え、このデータ読み出し手段に実装された前記記憶媒体に収録されている前記クレジット画像データが前記クレジット画像データベースに登録可能になるとともに前記音楽演奏データが演奏可能になることを特徴とするものである。
【００２１】
＝＝＝第１１の発明＝＝＝
第１１の発明は、第１０の発明にかかるカラオケ装置において、前記読み出し専用記憶媒体はパッケージングされたＲＯＭ集積回路であり、前記データ読み出し手段には前記ＲＯＭ集積回路を装填するための多数のＩＣソケットが含まれていることを特徴とするものである。
【００２２】
＝＝＝第１２の発明＝＝＝
第１２の発明にかかるカラオケソフト記憶媒体は、第１０の発明にかかるカラオケ装置に使用するものであって、前記データ読み出し手段に実装される前記読み出し専用記憶媒体に、ある音楽著作権管理者用の前記クレジット画像データとその音楽著作権管理者に信託されているカラオケ楽曲の音楽演奏データの両方が記録されていることを特徴とするものである。
【００２３】
＝＝＝第１３の発明＝＝＝
第１３の発明は、第４〜第９のいずれかの発明にかかるカラオケ装置において、着脱交換自在に装填された多数のディスク型記憶媒体から適宜にデータを読み取るチェンジャ式大容量記憶装置を備え、このチェンジャ式大容量記憶装置が前記背景画像データベースおよび前記クレジット画像データベース用の記憶資源の少なくとも一部として使われていることを特徴とするものである。
【００２４】
＝＝＝第１４の発明＝＝＝
第１４の発明は、第１３の発明にかかるカラオケ装置において、前記チェンジャ式大容量記憶装置は前記楽曲データベース用の記憶資源の一部として使われているとともに、外部のホスト装置から適宜な情報通信回線を通じて転送されてくる前記カラオケ楽曲データを前記チェンジャ式大容量記憶装置とは別に用意されている読み書き自在な記憶装置に書き込んで前記カラオケ楽曲データベースに登録する手段を備えたことを特徴とするものである。
【００２５】
＝＝＝第１５の発明＝＝＝
第１５の発明は、第１４の発明にかかるカラオケ装置において、前記読み書き自在な記憶装置に記録されているカラオケ楽曲データを処理するときに、そのカラオケ楽曲の音楽著作権管理者用の前記クレジット画像データを前記チェンジャ式大容量記憶装置から読み出すことを特徴とするものである。
【００２６】
＝＝＝第１６の発明＝＝＝
第１６の発明は、第１４の発明にかかるカラオケ装置において、前記チェンジャ式大容量記憶装置には、ある音楽著作権管理者用の前記クレジット画像データと、その音楽著作権管理者に信託されているカラオケ楽曲の音楽演奏データと、適宜な背景画像データの３種類のデータが一緒に記録されている前記ディスク型記憶媒体が装填されていることを特徴とするものである。
【００２７】
＝＝＝第１７の発明＝＝＝
第１７の発明にかかるカラオケソフト記憶媒体は、第１６の発明にかかるカラオケ装置に使用するものであって、前記チェンジャ式大容量記憶装置に装填される前記ディスク型記憶媒体に、ある音楽著作権管理者用の前記クレジット画像データと、その音楽著作権管理者に信託されているカラオケ楽曲の音楽演奏データと、適宜な背景画像データの３種類のデータを一緒に記録したことを特徴とする。
【００２８】
【発明の実施の形態】
＝＝＝カラオケ装置の構成例＝＝＝
この発明を適用した通信カラオケ装置のハードウェア主体の構成例を図１に示している。カラオケ装置は、パソコン相当のコンピュータ応用機器であって、中央処理装置１がＣＰＵ・ＲＯＭ・ＲＡＭを含んだコンピュータ本体であり、大容量の外部記憶としてハードディスク装置２とＣＤ−ＲＯＭ再生装置３とＤＶＤ−ＲＯＭ再生装置４を備える他、加入電話回線またはＩＳＤＮを介してカラオケホスト装置と通信する通信制御装置５と、利用者からの入力と利用者に向けての応答とをやり取りする利用者インタフェース装置６と、ＭＩＤＩデータを主体にした音楽演奏データに基づいて伴奏音楽の音響信号を生成する音楽生成装置７と、伴奏音楽やマイクロホンからの音響信号を増幅してスピーカーから発音する音響装置８と、ＣＲＴやＬＣＤあるいはＰＤＰなどを用いた映像表示装置９と、この映像表示装置９に表示すべき画像データを処理する画像処理装置１０とを備えている。ＣＤ−ＲＯＭ再生装置３には多数のＣＤ−ＲＯＭが着脱交換自在に装填されており、これらのディスクをチェンジャにより選択的に再生する複数台のディスクドライブを備えたものである。
【００２９】
＝＝＝データベースの構成例＝＝＝
この実施例のカラオケ装置は、カラオケ楽曲データベースと背景画像データベースとクレジット画像データベースを保有しており、中央処理装置１はこれら３種類のデータベースについての台帳をハードディスク装置２に作成して管理している。
カラオケ楽曲データベースは、ハードディスク装置２とＣＤ−ＲＯＭ再生装置３とＤＶＤ−ＲＯＭ再生装置４を記憶資源として用いて構築されており、多数のカラオケ楽曲データを楽曲ＩＤをキーとして集約して管理するものである。
【００３０】
背景画像データベースは、ＣＤ−ＲＯＭ再生装置３を主な記憶資源として用いて構築されており、実写の動画やＣＧ画像などにより制作編集されたＭＰＥＧ形式などの長時間分の背景画像データがこのデータベースに含まれている。背景画像データは、たとえばディスク番号・トラック番号といった区分ＩＤにより短く区切って特定できるようになっている。つまり、多数の背景画像データが区分ＩＤをキーとして集約されて管理される。
【００３１】
クレジット画像データベースは、カラオケ楽曲の音楽著作権を管理している各音楽著作権管理者ごとに用意された内容の異なるクレジット画像データを音楽著作権管理者ＩＤをキーとして集約して管理するものであり、その記憶資源としてはＣＤ−ＲＯＭ再生装置３やハードディスク装置２を用いている。この実施例のクレジット画像は、前述したように、それぞれの音楽著作権管理会社が自社のブランドイメージを高めたりアイデンティティを誇れるような意図で制作された数秒から数十秒程度のごく短い動画や、フルカラーの精細な静止画などであり、ＭＰＥＧ形式やＧＩＦ形式などのデータで保存されている。
【００３２】
＝＝＝カラオケ楽曲データの構成例＝＝＝
１つの楽曲ＩＤに対応する１曲分のカラオケ楽曲データは、ＭＩＤＩデータやＡＤＰＣＭデータなどで表現された伴奏音楽の起源となる音楽演奏データと、伴奏音楽に同期した歌詞字幕を表示するための歌詞字幕データと、伴奏音楽の出力期間に前記歌詞字幕の背景として表示すべき前記背景画像データを直接または間接に指定する背景選択データと、当該楽曲のタイトルやアーチストや著作者を字幕表示するための楽曲説明字幕データと、当該楽曲の音楽著作権管理者を示す音楽著作権管理者ＩＤとが対応づけされたデータ群である。
なお、これらのデータ群が１つのファイルに編成されていなくてはならないわけではない。たとえば、楽曲説明字幕データや音楽著作権管理者ＩＤなどが別のインデックステーブルに記述されていてもよい。要するに、演奏すべき楽曲のＩＤが決まると、その楽曲ＩＤに基づいて前記のデータ群が取り出せるような論理構造になっていればよい。
【００３３】
＝＝＝カラオケ楽曲データの処理＝＝＝
中央処理装置１は、利用者からリクエストされた楽曲のＩＤを待ち行列で管理しており、演奏すべき楽曲のＩＤが決まると、その楽曲ＩＤに対応するカラオケ楽曲データ（前記のデータ群）にアクセスし、以下の処理（Ａ）〜（Ｅ）を実行する。
（Ａ）音楽生成装置７などと協働し、楽曲ＩＤに対応する前記音楽演奏データに基づいて伴奏音楽の音響信号を生成し、音響装置８から出力させる。
（Ｂ）画像処理装置１０などと協働し、楽曲ＩＤに対応する前記歌詞字幕データに基づいて前記伴奏音楽に同期して色変化する歌詞字幕のグラフィックス処理を行い、映像表示装置９に歌詞字幕を表示させる。
（Ｃ）ＣＤ−ＲＯＭ再生装置３や画像処理装置１０などと協働し、楽曲ＩＤに対応する前記背景選択データに基づいて前記背景画像データベースから背景画像データを取り出して、前記伴奏音楽の出力期間において前記歌詞字幕の背景として映像表示装置９に表示させる。
（Ｄ）ＣＤ−ＲＯＭ再生装置３や画像処理装置１０などと協働し、楽曲ＩＤに対応する前記音楽著作権管理者ＩＤに基づいて前記クレジット画像データベースから該当のクレジット画像データを取り出し、前記背景画像データの表示期間の直前または直後において映像表示装置９に表示させる。
（Ｅ）画像処理装置１０などと協働し、前記クレジット画像データの表示期間において、楽曲ＩＤに対応する前記楽曲説明字幕データに基づいてタイトルやアーチストや著作者の字幕を生成し、前記クレジット画像と組み合わせて映像表示装置９に表示する。
【００３４】
＝＝＝クレジット画像のいろいろな表示モード＝＝＝
前記の実施例では、クレジット画像の表示タイミングを背景画像の表示期間の直前または直後とし、またクレジット画像と組み合わせて楽曲説明字幕を表示するとした。もちろん本発明はこの実施例に限定されない。伴奏音楽の演奏中に歌詞字幕のじゃまにならないように、適当な間奏期間などにクレジット画像を表示してもよい。その場合に、背景画像と画面を分割したり別のウインドウを開いてクレジット画像を表示することもできる。クレジット画像と楽曲説明字幕を別々のタイミングで表示してもよい。
【００３５】
前述した第３の発明や第７の発明によれば、各楽曲ごとに適宜に設定されたタイミングで、または各クレジット画像ごとに適宜に設定されたタイミングでクレジット画像を表示することができ、それぞれの楽曲の演奏時系列にふさわしいタイミングでクレジット画像を表示したり、あるいは音楽著作権管理者が望んでいるタイミングでクレジット画像を表示することができる。
【００３６】
前述した第２の発明や第９の発明によれば、クレジット画像を表示するときに、演奏中または前後して演奏される楽曲の著作権がそのクレジット画像に対応する音楽著作権管理者に信託されている期限が明示されるので、著作権保護の面できわめて望ましい形態となる。
【００３７】
＝＝＝カラオケソフト記憶媒体について＝＝＝
通信カラオケ装置においては、カラオケ楽曲データベースへの新曲の追加登録は、カラオケホスト装置から端末（図１のカラオケ装置）に配信して端末のハードディスク装置２に保存する方法と、端末のＣＤ−ＲＯＭ再生装置３やＤＶＤ−ＲＯＭ再生装置４のディスクを追加したり交換する方法が併用されている。一部の楽曲については、音楽著作権の管理者の意向により通信による楽曲データの配信は許可されず、楽曲データを記録したパッケージ媒体の販売のみが許諾されている場合がある。しかも、ある音楽著作権管理者の管轄下にある楽曲データは他の楽曲データと混在させずにパッケージ媒体化する必要性があることもある。このような場合に好適なのが、前述した第１２の発明や第１７の発明である。
【００３８】
【発明の効果】
以上詳細に説明したように、この発明にかかるカラオケ装置は、カラオケ楽曲の音楽著作権を管理している各音楽著作権管理者ごとに用意された内容の異なるクレジット画像データを音楽著作権管理者ＩＤをキーとして適宜な記憶資源に格納したクレジット画像データベースを備え、あるカラオケ楽曲の演奏処理を行うに際し、その楽曲ＩＤに対応づけされて設定記憶されている音楽著作権管理者ＩＤを取得し、その音楽著作権管理者ＩＤに対応づけされているクレジット画像データを前記データベースから読み出して適宜な表示装置により表示することを特徴とするものである。このクレジット画像は、たとえば、映画の冒頭で映写される各映画制作会社のトレードマークとなっているごく短い動画（松竹の富士山、東映の波、ＭＧＭのライオン、コロンビアの自由の女神）のような位置づけであり、それぞれの音楽著作権管理会社が自社のブランドイメージを高めたりアイデンティティを誇れるような意図で制作される画像である。この意図にあうクレジット画像としては、数秒から数十秒程度のごく短い動画や、フルカラーの精細な静止画などがふさわしい。そのような画像のデータ量は単純な字幕データに比べてはるかに大きいので、データベースに登録されている２万曲にもおよぶカラオケ楽曲データの一曲一曲にクレジット画像データを付帯させるのは合理的なシステム構成とはいえないし、新たに配信するカラオケ楽曲データに量の多いクレジット画像データを含めるのは通信時間や費用がかかるので良くない。前述した本発明の構成によれば、コンピュータ資源の面でもコストの面でも合理的で現実的なシステム構成となり、カラオケ装置の商品性を大いに高めることができるし、音楽著作権の保護の観点でも好ましい機能をカラオケ装置に付加することになる。
【図面の簡単な説明】
【図１】この発明の一実施例によるカラオケ装置のハードウェア構成の概略図である。
【符号の説明】
１  中央制御装置
２  ハードディスク装置
３  ＣＤ−ＲＯＭ再生装置
４  ＤＶＤ−ＲＯＭ再生装置
５  通信制御装置
６  利用者インタフェース装置
７  音楽生成装置
８  音響装置
９  映像表示装置
１０  画像処理装置
【図１】
0003645193.tif 000002